(57)【要約】【課題】この考案は、履物の使用時に、底部（踏台部）を前後左右または四方八方に傾斜せせることができ、脚部に前後左右または四方八方かち力を作用させることができる履物を提供することを目的とする。【解決手段】履物１１の底部１２の底面が、外周縁の前後左右の４方向から、中央の１点１６に向かって下降傾斜し、前後左右の４傾斜平面１５ａ、１５ｂ、１５ｃ、１５ｄを有する四角錘形状を形成する。  前記四角錘形状の代わりに、その頂部を水平の四角水平面とし、この四角水平面の４辺に連続して台形の４傾斜面を形成する頭截四角錘形状としてもよい。また、底面を、中央から外周縁に向かって上昇した丘状の曲面としてもよい。【選択図】    図１
0003121825.tif 000002
【実用新案登録請求の範囲】
【請求項１】
履物の底部の底面が、外周縁の前後左右の４方向から、中央の１点に向かって下降傾斜し、前後左右の４傾斜平面を有する四角錘形状を形成してなることを特徴とする健康履物。
【請求項２】
履物の底部の底面が、中央に四角水平面を有し、前記底面の外周縁の前後左右の４方向から前記四角水平面の４辺まで下降傾斜し、前後左右に台形の４傾斜面を有する頭截四角錘形を形成してなることを特徴とする健康履物。
【請求項３】
履物の底部の底面が、中央から外周縁に向かって上昇し、丘状の曲面を形成してなることを特徴とする健康履物。
【考案の詳細な説明】
【技術分野】
【０００１】
この考案は、底面が中央から外周縁に向かって上昇し、四傾斜平面を有する錘形または頭截錘形を形成するか、または丘状曲面を形成してなり、太股、ふくらはぎ、足首等脚の血行をよくし、筋肉を鍛え、０脚、Ｘ脚、外反母趾等骨を矯正できる健康履物に関するものである。
【背景技術】
【０００２】
従来、図８に示す履物１のように、底部３の外縁部を、踏台部２（底部）の略全体を弦とする接地面側に向かって膨らんだ弧３ａを帯状に形成し、使用により、踏台部２の上面が前後に傾斜を繰り返し、それにより足首を前後に屈曲させ、アキレス腱やふくらはぎ部および大腿四頭筋の裏側を伸ばす履物１がある。（特許文献１参照）
【特許文献１】特開２００２−１７７０９号公報（要約、請求項１、図１）
【考案の開示】
【考案が解決しようとする課題】
【０００３】
従来の履物１は、使用の際に、踏台部３の弧状に膨らんだ帯状の接地面が、シーソーのように前後にのみ回動するに過ぎず、足首やふくらはぎ等脚に作用する力の方向が前後にのみ限られており、左右または斜め方向への作用はない。
この考案は、使用時に、踏台部（底部）を前後左右または斜め方向を含めた四方八方に傾斜させることができ、足首やふくらはぎ等脚の各部に前後左右または斜め方向を含めた四方八方から力を作用させることができる履物を提供することを目的とする。
【課題を解決するための手段】
【０００４】
履物の底部の底面を、外周縁の前後左右の４方向から、中央の１点に向かって下降傾斜させ、前後左右の４傾斜平面を有する四角錘形状とする。
または、履物の底部の底面を、中央に四角水平面を有し、前記底面の外周縁の前後左右の４方向から前記四角水平面の４辺まで下降傾斜させ、前後左右に台形の４傾斜面を有す頭截形状とする。
または、履物の底部の底面を、中央から外周縁に向かって上昇させ、丘状の曲面とする。
【考案の効果】
【０００５】
底面を中央から前後左右に傾斜させた履物は、前方傾斜面が接地すると、足裏が接する底部の上面が前方下降傾斜となり、爪先立ちとなるので、主にヒラメ筋を強化し、足の血行を促進する。また、５本の足指に力が入って足指を強化し、外反母趾を予防する。背筋が伸び姿勢がよくなる。
後方傾斜面が接地すると、足裏が接する底部の上面が後方下降傾斜となり、踵立ちとなるので、アキレス腱を伸展させてストレッチ効果が大きく、血行を促進させ、脚の浮腫や疲れを和らげる。
右足用とした場合に、左方傾斜面を接地すると、底部上面が左方下降傾斜となり、膝を左方向すなわち内方向へ押すので、Ｏ脚の矯正の働きをする。
右方傾斜面を接地すると、底部上面が右方下降傾斜となり、膝を右方向すなわち外方向へ押すので、Ｘ脚の矯正の働きをする。
底部を傾斜させないで、バランスをとると、自然に深層筋の強化になり、姿勢の保持や反射神経の強化または保持に役立つ。
【０００６】
前後左右の４傾斜平面と水平面とを設けた履物は、前記４傾斜平面の作用効果に加え、水平面は、底部を水平状態とし、バランスがとれ、自然に深層筋の強化になり、姿勢の保持や反射神経の強化または保持に役立つ。
【０００７】
底面を膨らんだ丘状曲面、すなわち、略半楕円球面とした履物は、底部の上面を四方八方へ傾斜させることができ、前後左右に傾斜接地の場合の作用に加え、斜め四方からの力が足首や膝等脚に作用して、足首や膝等脚を鍛える。底部の上面を傾斜させた状態で右回りまたは左回りをさせることが容易で、より足首や膝等脚を鍛え、または、Ｏ脚、Ｘ脚の矯正に役立つ。
【考案を実施するための最良の形態】
【０００８】
図１および図２に示す履物１１は、底部１２が、木製の基部１３の上面を弾性のシート１４で覆い、下面を弾性体の底面部１５で覆う。底面部１５は、中央から外周縁の前、後、左、右の４方向に上昇、換言すれば、外周縁から中央に向かって下降し、前方傾斜面１５ａ、後方傾斜面１５ｂ、左方傾斜面１５ｃ、右方傾斜面１５ｄの４傾斜平面を形成し、中央で１６を頂点とする四角錘形状をなす。頂点１６の高さは限定しない。４傾斜平面の境界の稜線部はアール状とし丸みを持たせるのが好ましい。
底部１２は、基部１３、上面シート１４、底面部１５を接合して形成しているが、木または弾性体の１つの素材から一体的に形成してもよい。
図中１７は鼻緒である。
【０００９】
この履物を着用し、意識して、または無意識に、底部の上面を前後左右のいずれかに傾斜させて４傾斜平面のいずれかを接地させる。
前方傾斜面１５ａが接地すると、足裏が接する底部１２の上面が前方下降傾斜となり、爪先立ちとなるので、ヒラメ筋を強化し、脚の血行を促進する。また、５本の足指に力が入って足指を強化し、外反母趾を予防または矯正する。背筋が伸びて姿勢もよくなる。
後方傾斜面１５ｂが接地すると、足裏が接する底部１２の上面が後方下降傾斜となり、踵立ちとなるので、アキレス腱を伸展させてストレッチ効果があり、血行を促進させ、脚の浮腫や疲れを和らげる。
図１および図２に示す履物を右足用とした場合に、左方傾斜面１５ｃが接地すると、底部１２の上面が左方下降傾斜となり、膝を左方向すなわち内方向へ押すので、Ｏ脚の矯正の働きをする。
右方傾斜面１５ｄが接地すると、底部１２の上面が右方下降傾斜となり、膝を右方向すなわち外方向へ押すので、Ｘ脚の矯正の働きをする。
底部１２を傾斜させないで、バランスをとると、自然に深層筋の強化になり、姿勢の保持や反射神経の強化または保持に役立つ。
【００１０】
図３および図４は、他の実施の形態の履物２１を示す。履物２１は、基部１３、上面シート１４と底面部２５とよりなる。基部１３と上面シート１４とは先の実施の形態の履物１１の基部１３と上面シート１４と同じである。
底面部２５は、弾性材料よりなり、先の実施の形態の履物１１の底面部１５の頂点１６部分を四角の水平面２５ｅとする頭截四角錘形状としたものであり、その傾斜面は、台形であり、前方傾斜面２５ａ、後方傾斜面２５ｂ、左方傾斜面２５ｃ、右方傾斜面２５ｄの４傾斜平面よりなる。
水平面２５ｅと４傾斜平面の境界の稜線部はアール状とし丸みを持たせるのが好ましい。
底部２２は木または弾性体の１つの素材から一体的に形成してもよい。
【００１１】
この履物２１の４傾斜平面が接地した場合の作用効果は、先の実施の形態の履物１１の４傾斜平面の場合と同じである。水平面２５ｅは、使用時に底部２２を水平状態とし、バランスがとれ、自然に深層筋の強化になり、姿勢の保持や反射神経の強化または保持に役立つ。
【００１２】
他の実施の形態の履物３１を図５乃至図７に示す。図５は履物３１の底面側斜視図、図６は右側面図、図７は正面図である。
底部３２は、基部１３、上面シート１４と底面部３５とよりなる。基部１３と上面シート１４とは先の実施の形態の履物１１の基部１３、上面シート１４と同じである。
底面部３５は、底面が中央から外周縁に向かって上昇、すなわち、外周縁から中央に向かって膨れて、丘状の曲面すなわち略半楕円球面３５ａを形成する。                    底部３２は木または弾性体の１つの素材から一体的に形成してもよい。
【００１３】
この履物３１を着用すると、底部３２を前後左右のみならず、四方八方へ傾斜接地させることができる。前後左右への傾斜接地の場合の効果は、履物１１および２１の場合の作用効果と同じである。四方八方に傾斜接地をさせた場合には、前後左右に傾斜接地をさせた場合の作用効果に加え、斜め四方からの力が足首や膝等脚に作用して、足首や膝等の脚部を鍛え、Ｏ脚やＸ脚の矯正をする。底部３２を傾斜させた状態で右回りや左回りをさせることが容易で、より足首や膝等の脚部を鍛え、Ｏ脚やＸ脚の矯正に役立つ。
【００１４】
いずれの実施の形態の履物においても、鼻緒の代わりに、ベルトや胛皮を取付けてもよい。
【図面の簡単な説明】
【００１５】
【図１】この考案に係る履物の底面側斜視図である。
【図２】同履物の右側面図である。
【図３】この考案に係る他の実施の形態の履物の底面側斜視図である。
【図４】同履物の右側面図である。
【図５】この考案に係る他の実施の形態の履物の底面側斜視図である。
【図６】同履物の右側面図である。
【図７】同履物の正面図である。
【図８】従来の履物の斜視図である。
【符号の説明】
【００１６】
１    履物
２    踏台部
３    底部
３ａ  弧
１１  履物
１２  底部
１３  基部
１４  上面シート
１５  底面部
１５ａ  前方傾斜面
１５ｂ  後方傾斜面
１５ｃ  左方傾斜面
１５ｄ  右方傾斜面
１６  頂点
１７  鼻緒
２１  履物
２２  底部
２５  底面部
２５ａ  前方傾斜面
２５ｂ  後方傾斜面
２５ｃ  左方傾斜面
２５ｄ  右方傾斜面
２５ｅ  水平面
３１  履物
３２  底部
３５  底面部
３５ａ  略半楕円球面
【図１】
0003121825.tif 000003
【図２】
0003121825.tif 000004
【図３】
0003121825.tif 000005
【図４】
0003121825.tif 000006
【図５】
0003121825.tif 000007
【図６】
0003121825.tif 000008
【図７】
0003121825.tif 000009
【図８】
0003121825.tif 000010
【手続補正書】
【提出日】平成18年1月20日(2006.1.20)
【手続補正１】
【補正対象書類名】実用新案登録請求の範囲
【補正対象項目名】全文
【補正方法】変更
【補正の内容】
【実用新案登録請求の範囲】
【請求項１】
履物の底部の底面が、外周縁の前後左右の４方向から、中央の１点に向かって下降傾斜し、前後左右の４傾斜平面を有する四角錐形状を形成してなることを特徴とする健康履物。
【請求項２】
履物の底部の底面が、中央に四角水平面を有し、前記底面の外周縁の前後左右の４方向から前記四角水平面の４辺まで下降傾斜し、前後左右に略台形の４傾斜面を有する頭截四角錐形状を形成してなることを特徴とする健康履物。
【請求項３】
履物の底部の底面が、中央から外周縁に向かって上昇し、丘状の曲面を形成してなることを特徴とする健康履物。
【手続補正２】
【補正対象書類名】明細書
【補正対象項目名】全文
【補正方法】変更
【補正の内容】
【考案の詳細な説明】
【技術分野】
【０００１】
この考案は、底面が中央から外周縁に向かって上昇し、四傾斜平面を有する錐形または頭截錐形を形成するか、または丘状曲面を形成してなり、太股、ふくらはぎ、足首等脚の血行をよくし、筋肉を鍛え、０脚、Ｘ脚、外反母趾等骨を矯正できる健康履物に関するものである。
【背景技術】
【０００２】
従来、図８に示す履物１のように、底部３の外縁部を、踏台部２（底部）の略全体を弦とする接地面側に向かって膨らんだ弧３ａを帯状に形成し、使用により、踏台部２の上面が前後に傾斜を繰り返し、それにより足首を前後に屈曲させ、アキレス腱やふくらはぎ部および大腿四頭筋の裏側を伸ばす履物１がある。（特許文献１参照）
【特許文献１】特開２００２−１７７０９号公報（要約、請求項１、図１）
【考案の開示】
【考案が解決しようとする課題】
【０００３】
従来の履物１は、使用の際に、踏台部３の弧状に膨らんだ帯状の接地面が、シーソーのように前後にのみ回動するに過ぎず、足首やふくらはぎ等脚に作用する力の方向が前後にのみ限られており、左右または斜め方向への作用はない。
この考案は、使用時に、踏台部（底部）を前後左右または斜め方向を含めた四方八方に傾斜させることができ、足首やふくらはぎ等脚の各部に前後左右または斜め方向を含めた四方八方から力を作用させることができる履物を提供することを目的とする。
【課題を解決するための手段】
【０００４】
履物の底部の底面を、外周縁の前後左右の４方向から、中央の１点に向かって下降傾斜させ、前後左右の４傾斜平面を有する四角錐形状とする。
または、履物の底部の底面を、中央に四角水平面を有し、前記底面の外周縁の前後左右の４方向から前記四角水平面の４辺まで下降傾斜させ、前後左右に略台形の４傾斜面を有す頭截四角錐形状とする。
または、履物の底部の底面を、中央から外周縁に向かって上昇させ、丘状の曲面とする。
【考案の効果】
【０００５】
底面を中央から前後左右に傾斜させた履物は、前方傾斜面が接地すると、足裏が接する底部の上面が前方下降傾斜となり、爪先立ちとなるので、主にヒラメ筋を強化し、足の血行を促進する。また、５本の足指に力が入って足指を強化し、外反母趾を予防する。背筋が伸び姿勢がよくなる。
後方傾斜面が接地すると、足裏が接する底部の上面が後方下降傾斜となり、踵立ちとなるので、アキレス腱を伸展させてストレッチ効果が大きく、血行を促進させ、脚の浮腫や疲れを和らげる。
右足用とした場合に、左方傾斜面を接地すると、底部上面が左方下降傾斜となり、膝を左方向すなわち内方向へ押すので、Ｏ脚の矯正の働きをする。
右方傾斜面を接地すると、底部上面が右方下降傾斜となり、膝を右方向すなわち外方向へ押すので、Ｘ脚の矯正の働きをする。
底部を傾斜させないで、バランスをとると、自然に深層筋の強化になり、姿勢の保持や反射神経の強化または保持に役立つ。
【０００６】
前後左右の４傾斜平面と水平面とを設けた履物は、前記４傾斜平面の作用効果に加え、水平面は、底部を水平状態とし、バランスがとれ、自然に深層筋の強化になり、姿勢の保持や反射神経の強化または保持に役立つ。
【０００７】
底面を膨らんだ丘状曲面、すなわち、略半楕円球面とした履物は、底部の上面を四方八方へ傾斜させることができ、前後左右に傾斜接地の場合の作用に加え、斜め四方からの力が足首や膝等脚に作用して、足首や膝等脚を鍛える。底部の上面を傾斜させた状態で右回りまたは左回りをさせることが容易で、より足首や膝等脚を鍛え、または、Ｏ脚、Ｘ脚の矯正に役立つ。
【考案を実施するための最良の形態】
【０００８】
図１および図２に示す履物１１は、底部１２が、木製の基部１３の上面を弾性のシート１４で覆い、下面を弾性体の底面部１５で覆う。底面部１５は、中央から外周縁の前、後、左、右の４方向に上昇、換言すれば、外周縁から中央に向かって下降し、前方傾斜面１５ａ、後方傾斜面１５ｂ、左方傾斜面１５ｃ、右方傾斜面１５ｄの４傾斜平面を形成し、中央で１６を頂点とする四角錐形状をなす。頂点１６の高さは限定しない。４傾斜平面の境界の稜線部はアール状とし丸みを持たせるのが好ましい。
底部１２は、基部１３、上面シート１４、底面部１５を接合して形成しているが、木または弾性体の１つの素材から一体的に形成してもよい。
図中１７は鼻緒である。
【０００９】
この履物を着用し、意識して、または無意識に、底部の上面を前後左右のいずれかに傾斜させて４傾斜平面のいずれかを接地させる。
前方傾斜面１５ａが接地すると、足裏が接する底部１２の上面が前方下降傾斜となり、爪先立ちとなるので、ヒラメ筋を強化し、脚の血行を促進する。また、５本の足指に力が入って足指を強化し、外反母趾を予防または矯正する。背筋が伸びて姿勢もよくなる。
後方傾斜面１５ｂが接地すると、足裏が接する底部１２の上面が後方下降傾斜となり、踵立ちとなるので、アキレス腱を伸展させてストレッチ効果があり、血行を促進させ、脚の浮腫や疲れを和らげる。
図１および図２に示す履物を右足用とした場合に、左方傾斜面１５ｃが接地すると、底部１２の上面が左方下降傾斜となり、膝を左方向すなわち内方向へ押すので、Ｏ脚の矯正の働きをする。
右方傾斜面１５ｄが接地すると、底部１２の上面が右方下降傾斜となり、膝を右方向すなわち外方向へ押すので、Ｘ脚の矯正の働きをする。
底部１２を傾斜させないで、バランスをとると、自然に深層筋の強化になり、姿勢の保持や反射神経の強化または保持に役立つ。
【００１０】
図３および図４は、他の実施の形態の履物２１を示す。履物２１は、基部１３、上面シート１４と底面部２５とよりなる。基部１３と上面シート１４とは先の実施の形態の履物１１の基部１３と上面シート１４と同じである。
底面部２５は、弾性材料よりなり、先の実施の形態の履物１１の底面部１５の頂点１６部分を四角の水平面２５ｅとする頭截四角錐形状としたものであり、その傾斜面は、略台形であり、前方傾斜面２５ａ、後方傾斜面２５ｂ、左方傾斜面２５ｃ、右方傾斜面２５ｄの４傾斜平面よりなる。
水平面２５ｅと４傾斜平面の境界の稜線部はアール状とし丸みを持たせるのが好ましい。
底部２２は木または弾性体の１つの素材から一体的に形成してもよい。
【００１１】
この履物２１の４傾斜平面が接地した場合の作用効果は、先の実施の形態の履物１１の４傾斜平面の場合と同じである。水平面２５ｅは、使用時に底部２２を水平状態とし、バランスがとれ、自然に深層筋の強化になり、姿勢の保持や反射神経の強化または保持に役立つ。
【００１２】
他の実施の形態の履物３１を図５乃至図７に示す。図５は履物３１の底面側斜視図、図６は右側面図、図７は正面図である。
底部３２は、基部１３、上面シート１４と底面部３５とよりなる。基部１３と上面シート１４とは先の実施の形態の履物１１の基部１３、上面シート１４と同じである。
底面部３５は、底面が中央から外周縁に向かって上昇、すなわち、外周縁から中央に向かって膨れて、丘状の曲面すなわち略半楕円球面３５ａを形成する。                    底部３２は木または弾性体の１つの素材から一体的に形成してもよい。
【００１３】
この履物３１を着用すると、底部３２を前後左右のみならず、四方八方へ傾斜接地させることができる。前後左右への傾斜接地の場合の効果は、履物１１および２１の場合の作用効果と同じである。四方八方に傾斜接地をさせた場合には、前後左右に傾斜接地をさせた場合の作用効果に加え、斜め四方からの力が足首や膝等脚に作用して、足首や膝等の脚部を鍛え、Ｏ脚やＸ脚の矯正をする。底部３２を傾斜させた状態で右回りや左回りをさせることが容易で、より足首や膝等の脚部を鍛え、Ｏ脚やＸ脚の矯正に役立つ。
【００１４】
いずれの実施の形態の履物においても、鼻緒の代わりに、ベルトや胛皮を取付けてもよい。
【図面の簡単な説明】
【００１５】
【図１】この考案に係る履物の底面側斜視図である。
【図２】同履物の右側面図である。
【図３】この考案に係る他の実施の形態の履物の底面側斜視図である。
【図４】同履物の右側面図である。
【図５】この考案に係る他の実施の形態の履物の底面側斜視図である。
【図６】同履物の右側面図である。
【図７】同履物の正面図である。
【図８】従来の履物の斜視図である。
【符号の説明】
【００１６】
１    履物
２    踏台部
３    底部
３ａ  弧
１１  履物
１２  底部
１３  基部
１４  上面シート
１５  底面部
１５ａ  前方傾斜面
１５ｂ  後方傾斜面
１５ｃ  左方傾斜面
１５ｄ  右方傾斜面
１６  頂点
１７  鼻緒
２１  履物
２２  底部
２５  底面部
２５ａ  前方傾斜面
２５ｂ  後方傾斜面
２５ｃ  左方傾斜面
２５ｄ  右方傾斜面
２５ｅ  水平面
３１  履物
３２  底部
３５  底面部
３５ａ  略半楕円球面
【手続補正書】
【提出日】平成18年3月17日(2006.3.17)
【手続補正１】
【補正対象書類名】実用新案登録請求の範囲
【補正対象項目名】全文
【補正方法】変更
【補正の内容】
【実用新案登録請求の範囲】
【請求項１】
履物の底部の底面が、中央から外周縁に向かって上昇し、４傾斜面を有する錘形形状を形成したことを特徴とする健康履物。
【請求項２】
錘形形状が、水平の頂面を設けた頭截錘形形状であることを特徴とする請求項１に記載の健康履物。
【請求項３】
錘形形状または頭截錘形形状の稜線部をアール状とし、丸みを持たせたことを特徴とする請求項１または請求項２に記載の健康履物。
【手続補正２】
【補正対象書類名】明細書
【補正対象項目名】０００４
【補正方法】変更
【補正の内容】
【０００４】
履物の底部の底面を、中央から外周縁に向かって上昇し、４傾斜面を有する錘形形状とする。
錘形形状を、水平の頂面を設けた頭截錘形形状としてもよい。
錘形形状または頭截錘形形状の稜線部をアール状とし、丸みを持たせるのが好ましい。